(57)【特許請求の範囲】
【請求項１】
第１軸と、該第１軸に連結され軸方向へ移動して前記第１軸と分離可能な第２軸とを有する回転軸と、
前記第１軸及び前記第２軸を回転可能に支持すると共に、前記第２軸をその軸方向へ移動可能に支持する支持部材と、
前記第２軸が抜き差しされる貫通孔を有し、前記第１軸と分離された前記第２軸が前記貫通孔から引き抜かれて前記回転軸から取り外される搬送ロールと、
前記第２軸を前記第１軸から離れる離間方向へ付勢する付勢手段と、
前記第２軸に着脱され、前記第２軸を前記支持部材に回転可能かつ軸方向に移動不能に固定する固定部材と、
前記回転軸に設けられ、駆動力を前記回転軸に伝達する駆動伝達部材と、
を備え、
前記第２軸は、前記駆動伝達部材の内部で前記第１軸と連結され、
前記固定部材が前記第２軸から取り外されると、前記付勢手段の付勢力によって、前記第２軸は前記第１軸から離間すると共に前記支持部材から前記離間方向へ突出し、かつ、前記第１軸は前記駆動伝達部材から前記離間方向へ突出するシート搬送装置。
【請求項２】
前記第２軸の移動量を規制して、前記支持部材からの前記第２軸の脱落を防止する規制部材を備えたことを特徴とする請求項１に記載のシート搬送装置。
【請求項３】
第１軸と、該第１軸に連結され軸方向へ移動して前記第１軸と分離可能な第２軸とを有する回転軸と、前記第１軸及び前記第２軸を回転可能に支持すると共に、前記第２軸をその軸方向へ移動可能に支持する支持部材と、前記第２軸が抜き差しされる貫通孔を有し、前記第１軸と分離された前記第２軸が前記貫通孔から引き抜かれて前記回転軸から取り外される搬送ロールと、前記第２軸を前記第１軸から離れる離間方向へ付勢する付勢手段と、前記第２軸に着脱され前記第２軸を前記支持部材に回転可能かつ軸方向に移動不能に固定する固定部材と、前記回転軸に設けられ駆動力を前記回転軸に伝達する駆動伝達部材と、を備え、前記第２軸は、前記駆動伝達部材の内部で前記第１軸と連結され、前記固定部材が前記第２軸から取り外されると、前記付勢手段の付勢力によって、前記第２軸は前記第１軸から離間すると共に前記支持部材から前記離間方向へ突出し、かつ、前記第１軸は前記駆動伝達部材から前記離間方向へ突出する搬送ユニットと、
前記搬送ユニットが着脱されるシート搬送装置本体と、
を備えたことを特徴とするシート搬送装置。
【請求項４】
請求項１〜３のいずれか１項に記載のシート搬送装置と、前記シート搬送装置により搬送されるシートの画像を読み取る画像読取部とを有する画像読取装置と、
前記画像読取装置で読み取られた画像に基づき、記録媒体へ画像を記録する画像記録装置と、
を備えたことを特徴とする画像形成装置。
【発明の詳細な説明】
【技術分野】
【０００１】
本発明は、シート搬送装置及び画像形成装置に関する。
【背景技術】
【０００２】
シート搬送装置としては、特許文献１及び特許文献２に開示される技術が公知である。
【０００３】
特許文献１には、ユニット化された給紙部が、その位置決め軸受を給紙カセットのガイド部を介して保持部材と係合し、一体に固定される構成が開示されている。この構成では、給紙部の給紙ローラやフリクションパッドが消耗したときは前記位置決め軸受を給紙カセットの保持部材から外すことにより容易に取り外すことができる。
【０００４】
そして、ユニット化された給紙部は給紙ローラとそれに接触するフリクションパッドと給紙ローラに給紙圧を付与する加圧スプリングと給紙ローラの駆動ギアとでなり、従来に比べ単純化され、かつ軽量化されているので、一般ユーザの取り扱いが簡単となる。
【０００５】
特許文献２には、ローラが抜き差し自在に取り付けられて回り止め結合される駆動軸を片持ち状態で支持し、その自由端を通紙経路の最大通紙幅を越えた部分まで延出させる構成が開示されている。
【０００６】
また、この構成では、ローラの端面に、駆動軸に沿ってその自由端近傍まで延出する把持部を固定し、この把持部を把持してローラを駆動軸に着脱できるようにする。そして、駆動軸に回り止め結合されたローラを抜止機構で抜け止めし、ローラの抜け止めを駆動軸の自由端近傍における操作で解除できるようにする。
【０００７】
これにより、他の部品が配置されずスペースが広い駆動軸の自由端近傍だけでのローラの着脱作業が可能となり、その作業の容易性及び安全性を向上させることができる。
【特許文献１】特開平４−４１３３９号公報
【特許文献２】特開平９−２１６７４１号公報
【発明の開示】
【発明が解決しようとする課題】
【０００８】
本発明は、交換が必要な部品のみを容易に交換できるシート搬送装置を提供することを目的とする。
【課題を解決するための手段】
【０００９】
本発明の請求項１に係るシート搬送装置は、第１軸と、該第１軸に連結され軸方向へ移動して前記第１軸と分離可能な第２軸とを有する回転軸と、前記第１軸及び前記第２軸を回転可能に支持すると共に、前記第２軸をその軸方向へ移動可能に支持する支持部材と、前記第２軸が抜き差しされる貫通孔を有し、前記第１軸と分離された前記第２軸が前記貫通孔から引き抜かれて前記回転軸から取り外される搬送ロールと、を備えたことを特徴とする。
【００１０】
本発明の請求項１に係るシート搬送装置は、さらに、前記回転軸に設けられ、駆動力を前記回転軸に伝達する駆動伝達部材を備え、前記第２軸は、前記駆動伝達部材の内部で前記第１軸と連結されることを特徴とする。
【００１１】
本発明の請求項１に係るシート搬送装置は、さらに、前記第２軸を前記第１軸から離れる方向へ付勢する付勢手段と、前記第２軸に着脱され、前記第２軸を前記支持部材に回転可能かつ軸方向に移動不能に固定する固定部材と、を備えたことを特徴とする。
【００１２】
本発明の請求項２に係るシート搬送装置は、前記第２軸の移動量を規制して、前記支持部材からの前記第２軸の脱落を防止する規制部材を備えたことを特徴とする。
【００１３】
本発明の請求項３に係るシート搬送装置は、第１軸と、該第１軸に連結され軸方向へ移動して前記第１軸と分離可能な第２軸とを有する回転軸と、前記第１軸及び前記第２軸を回転可能に支持すると共に、前記第２軸をその軸方向へ移動可能に支持する支持部材と、前記第２軸が抜き差しされる貫通孔を有し、前記第１軸と分離された前記第２軸が前記貫通孔から引き抜かれて前記回転軸から取り外される搬送ロールと、前記第２軸を前記第１軸から離れる離間方向へ付勢する付勢手段と、前記第２軸に着脱され前記第２軸を前記支持部材に回転可能かつ軸方向に移動不能に固定する固定部材と、前記回転軸に設けられ駆動力を前記回転軸に伝達する駆動伝達部材と、を備え、前記第２軸は、前記駆動伝達部材の内部で前記第１軸と連結され、前記固定部材が前記第２軸から取り外されると、前記付勢手段の付勢力によって、前記第２軸は前記第１軸から離間すると共に前記支持部材から前記離間方向へ突出し、かつ、前記第１軸は前記駆動伝達部材から前記離間方向へ突出する搬送ユニットと、前記搬送ユニットが着脱されるシート搬送装置本体と、を備えたことを特徴とする。
【００１４】
本発明の請求項４に係る画像形成装置は、請求項１〜３のいずれか１項に記載のシート搬送装置と、前記シート搬送装置により搬送されるシートの画像を読み取る画像読取部とを有する画像読取装置と、前記画像読取装置で読み取られた画像に基づき、記録媒体へ画像を記録する画像記録装置と、を備えたことを特徴とする。
【発明の効果】
【００１５】
本発明の請求項１の構成によれば、搬送ロールのみが交換され、交換が必要な部品のみを容易に交換できる。
【００１６】
本発明の請求項１の構成によれば、駆動伝達部材の外部で第１軸と第２軸とを連結する構成に比して、第１軸と第２軸との連結部における回転軸の撓みを抑制できる。
【００１７】
本発明の請求項１の構成によれば、固定部材を外すことで第２軸を第１軸から離すことができ、第１軸と第２軸の分離がしやすくなる。
【００１８】
本発明の請求項２の構成によれば、支持部材からの第２軸の脱落を防止できるので、第２軸を移動させる際の操作性が良くなる。
【００１９】
本発明の請求項３の構成によれば、搬送ロールのみが交換され、交換が必要な部品のみを容易に交換できる。
【００２０】
本発明の請求項４の構成によれば、搬送ロールのみが交換され、交換が必要な部品のみを容易に交換できる。
【発明を実施するための最良の形態】
【００２１】
以下に、本発明に係る実施形態の一例を図面に基づき説明する。
【００２２】
（本実施形態に係る画像形成装置の構成）
まず、本実施形態に係る画像形成装置の構成を説明する。図１は、本実施形態に係る画像形成装置の構成を示す概略図である。
【００２３】
本実施形態に係る画像形成装置１００は、用紙等の記録媒体Ｐに画像を記録する画像記録装置１１０と、原稿を搬送すると共にその原稿の画像を読み取る画像読取装置１０とを備えている。
【００２４】
画像読取装置１０は、画像形成装置１００の上部に設けられ、画像記録装置１１０は、画像形成装置１００の下部に設けられている。
【００２５】
画像読取装置１０は、原稿の画像を読み取り、その読み取った画像を画像信号に変換するようになっている。画像記録装置１１０は、画像読取装置１０が変換した画像信号に基づいて記録媒体Ｐへ画像を記録するようになっている。
【００２６】
ここで、本実施形態に係る画像記録装置１１０の構成について説明する。
【００２７】
本実施形態に係る画像記録装置１１０は、図１に示すように、その下部に、記録媒体Ｐが収容された複数の記録媒体収容部１２０、１２１を備えている。
【００２８】
記録媒体収容部１２０、１２１には、それぞれ、サイズの異なる記録媒体Ｐが収容されている。例えば、記録媒体収容部１２０には、Ｂ５サイズの記録媒体Ｐが収容され、記録媒体収容部１２１には、Ｂ４サイズの記録媒体Ｐが収容される。
【００２９】
記録媒体収容部１２０、１２１の先端側（図１において右端側）の直上には、記録媒体Ｐの上面の先端側に接触して回転し、記録媒体収容部１２０、１２１から記録媒体Ｐを送り出す送出しロール１２６が配置されている。
【００３０】
画像記録装置１１０内には、記録媒体収容部１２０、１２１の先端部から延出して、Ｓ字状に湾曲し、画像記録装置１１０の上部へ向かって延びる搬送路１２２が形成されている。
【００３１】
この搬送路１２２に沿って、記録媒体の搬送方向の上流側から順に、記録媒体Ｐを挟持搬送する複数（例えば、６つ）の搬送ロール対１６４と、レジストロール１６８とが配置されている。
【００３２】
記録媒体収容部１２１の上方には、記録媒体Ｐへ画像を記録する画像記録部１３０が配置されている。
【００３３】
記録媒体収容部１２０、１２１に収容された記録媒体Ｐは、送出しロール１２６により送り出され、搬送ロール対１６４及びレジストロール１６８によって搬送路１２２を搬送されて画像記録部１３０へ送られる。
【００３４】
画像記録部１３０は、記録媒体収容部１２０、１２１から送られてきた記録媒体Ｐに、シアン、マゼンタ、イエロー及びブラックの各色トナーを用いてカラー画像を形成するようになっている。
【００３５】
画像記録部１３０には、４つの感光体ドラム１１２が並んで回転可能に配設されている。各感光体ドラム１１２は、図示しない駆動部により、矢印Ｋの方向に回転する。
【００３６】
各感光体ドラム１１２の左斜め下方には、帯電ローラ１１４が感光体ドラム１１２に接触するように配設されている。帯電ローラ１１４は、感光体ドラム１１２の表面を所定の電位に帯電する。
【００３７】
帯電後、各感光体ドラム１１２の下方に配置された各露光ヘッド１１６から出射された光によって露光が行われ、画像読取装置１０が変換した画像信号に応じた潜像が感光体ドラム１１２の表面に形成される。
【００３８】
各感光体ドラム１１２の右斜め下方には、各色に対応した現像器１１８が配設されている。各色の現像器１１８の現像ローラ１１９には、所定の極性に帯電した各色トナーが保持されている。各感光体ドラム１１２の表面に形成された潜像は、現像ローラ１１９に現像バイアスを印加することで現像され各色のトナー像となる。
【００３９】
４個の各感光体ドラム１１２にそれぞれ形成された各色のトナー像は、各感光体ドラム１１２の上方に配置された中間転写ベルト１１３上に第１転写ローラ１１５で転写され、中間転写ベルト１１３上に重畳されてフルカラーのトナー像となる。
【００４０】
記録媒体収容部１２０、１２１から送り出されると共に搬送ロール対１６４で搬送された記録媒体Ｐは、レジストロール１６８により所定のタイミングで第２転写ローラ１３２と中間転写ローラ１３４との間に送られ、フルカラーのトナー像が記録媒体Ｐに転写される。なお、中間転写ローラ１３４側の記録媒体Ｐの面にトナー像は転写される。
【００４１】
フルカラーのトナー像が転写された記録媒体Ｐは、定着器１３６に送られる。定着器１３６は熱と圧力とで記録媒体Ｐにトナー像を定着する。トナー像が定着された記録媒体Ｐは、排出ローラ１４２によって排紙トレイ１４０へ排出される。
【００４２】
なお、中間転写ベルト１１３と記録媒体Ｐとにトナー像は全て転写されずに、一部は感光体ドラム１１２及び中間転写ベルト１１３に残留トナーとして残る。感光体ドラム１１２上の残留トナーはクリーニングロール１４４により除去され、中間転写ベルト１１３上の残留トナーはクリーニング装置１３８によって除去される。
【００４３】
（本実施形態に係る画像読取装置の構成）
次に、本実施形態に係る画像読取装置の構成を説明する。
【００４４】
本実施形態に係る画像読取装置１０は、図１に示すように、シートを搬送するシート搬送装置の一例として、原稿Ｇを搬送する原稿搬送装置２０を備えている。
【００４５】
なお、シート搬送装置としては、画像の読み取り対象となる原稿を搬送するものに限られず、例えば、画像が記録される記録媒体を搬送するものであってもよい。また、シート搬送装置としては、画像の読み取りや画像の記録を目的とせず、他の目的によりシートを搬送するシート搬送装置であってもよく、また、単にシートを搬送することを目的としてシートを搬送するシート搬送装置であってもよい。
【００４６】
さらに、シート搬送装置により搬送されるシートとしては、紙に限られず、プラスチックフィルム、その他のシート状のものであってもよい。
【００４７】
本実施形態に係る画像読取装置１０は、原稿搬送装置２０により搬送される原稿Ｇの画像を読み取る画像読取部３０を備えている。原稿搬送装置２０は画像読取装置１０の上部に設けられ、画像読取部３０は画像読取装置１０の下部に設けられている。
【００４８】
画像読取部３０は、光源３７及びミラー等の光学系を有する画像入力部３６と、結像レンズ等の光学系からなる縮小光学系３９と、ＣＣＤ等からなる画像読取素子３８とを備えている。
【００４９】
画像入力部３６は、光源３７から光を原稿Ｇへ照射するようになっている。光源３７から照射された照射光は原稿Ｇで反射する。原稿Ｇで反射した反射光は、画像入力部３６へ入射する。画像入力部３６へ入射された光は、画像入力部３６のミラー等の光学系により、縮小光学系３９へ導かれる。
【００５０】
縮小光学系３９へ導かれた光は、縮小光学系３９によって縮小して画像読取素子３８に結像される。画像読取素子３８に結像された光は、画像読取素子３８により読み取られる。
【００５１】
また、本実施形態に係る原稿搬送装置２０は、複数のシートが収容可能なシート収容部の一例として、複数の原稿Ｇが収容可能な原稿トレイ１１を備えている。この原稿トレイ１１は、図示しない昇降機構により昇降可能とされている。
【００５２】
原稿トレイ１１の先端側（図１において左端側）の直上には、搬送ロールの一例としての送出しロール１３が配置されている。この送出しロール１３は、原稿Ｇの上面の先端側に接触して回転し、原稿トレイ１１から原稿Ｇを送り出す構成となっている。
【００５３】
原稿搬送装置２０内には、原稿トレイ１１の先端部から延出して、Ｃ字状に湾曲する搬送路２２が形成されている。この搬送路２２は、上部側の搬送路面２２Ａと下部側の搬送路面２２Ｂにより形成されている。
【００５４】
この搬送路２２の上部側であって送出しロール１３の原稿搬送方向下流側には、原稿トレイ１１から送り出された原稿Ｇを原稿搬送方向の下流側へ搬送する搬送ロール１４が配置されている。
【００５５】
搬送路２２の下部側であって送出しロール１３の原稿搬送方向下流側には、搬送ロール１４の下方位置で搬送ロール１４に対向する分離ロール１５が配置されている。分離ロール１５は搬送ロール１４に接触しており、搬送ロール１４と分離ロール１５との間に原稿トレイ１１から送り出された原稿Ｇを挟持する挟持部Ｎが形成される。
【００５６】
搬送ロール１４は、駆動制御部（図示省略）によって、原稿搬送方向に直交する方向を軸方向としてこの軸周りに回転すると共に、その回転駆動が制御される。この搬送ロール１４が、原稿トレイ１１から送り出され挟持部Ｎに導入される原稿Ｇの上面（表面）に接触して回転駆動することにより、原稿Ｇが下流へ搬送される。
【００５７】
分離ロール１５の回転軸には、トルクリミッタ（図示省略）が取り付けられている。このため、挟持部Ｎに１枚の原稿Ｇが導入され、その１枚の原稿Ｇが搬送ロール１４に搬送される場合では、その原稿Ｇから分離ロール１５が所定値以上のトルクを受け、トルクリミッタの作用により、分離ロール１５は原稿Ｇに従動回転する。
【００５８】
原稿トレイ１１から挟持部Ｎへ複数の原稿Ｇが重なって送り出せられた場合には、搬送ロール１４が上側の原稿Ｇ（１枚目の原稿Ｇ）へ搬送力を付与する一方、下側の原稿Ｇ（２枚目以降の原稿Ｇ）は、分離ロール１５によって、搬送抵抗を付与する。すなわち、搬送ロール１４と分離ロール１５とで、重なった原稿Ｇを一枚ずつに分離して（捌いて）原稿Ｇを給送し、原稿Ｇの重送を抑制する。
【００５９】
なお、本実施形態に係る分離ロール１５は、駆動力を付与されず従動回転する従動ロールで構成であったが、分離ロール１５は、駆動力が付与される駆動ロールで構成されていてもよい。
【００６０】
さらに、搬送路２２には、搬送路２２に沿って、原稿Ｇを挟持搬送する複数の搬送ロール対２８が配置されている。
【００６１】
複数の搬送ロール対２８で挟持搬送される原稿Ｇは、一旦、原稿搬送装置２０から出て、画像読取部３０の読取窓部４２との間に挟まれた後、画像読取部３０に設けられた断面三角形状の原稿すくい上げ部材４０によって再び原稿搬送装置２０に入る。
【００６２】
原稿搬送装置２０に入った原稿Ｇは、搬送ロール対２８によって搬送されたのち、排出ロール対２９によって、排出部１９に排出される。
【００６３】
搬送ロール対２８で搬送される原稿Ｇの画像を読み取る場合は、画像入力部３６が読取窓部４２の下方に移動し、読取窓部４２の上方を通過する原稿Ｇの画像が、画像入力部３６及び縮小光学系３９を介して画像読取素子３８で読み取られる。
【００６４】
また、画像読取部３０は、その上面が原稿Ｇを載せるガラスなどからなる原稿台３２とされている。
【００６５】
原稿搬送装置２０は、画像読取部３０に対して開閉可能に取り付けられており、原稿台３２に載せられた原稿Ｇを押させる押さえカバーとして機能する。すなわち、原稿搬送装置２０を画像読取部３０に対して開放して、原稿Ｇを原稿台３２に載せ、原稿搬送装置２０を閉じて原稿Ｇが押さえられる。なお、原稿Ｇは、原稿面が原稿台３２側（下向き）となるように置かれる。
【００６６】
原稿台３２に載置された原稿Ｇの画像を読み取る場合は、画像入力部３６が水平方向に移動しながら、原稿台３２に載置された原稿Ｇの画像を、画像入力部３６及び縮小光学系３９を介して画像読取素子３８で読み取る。
【００６７】
（送出しロール１３及び搬送ロール１４を原稿搬送装置２０から着脱するための構成）
次に、送出しロール１３及び搬送ロール１４を原稿搬送装置２０から着脱するための構成を説明する。
【００６８】
図２は、原稿搬送装置の構成を示す図であって、カバー体が閉鎖された状態を示す斜視図である。図３は、原稿搬送装置の構成を示す図であって、カバー体が開放された状態を示す斜視図である。
【００６９】
画像読取装置１０の原稿搬送装置２０は、図２及び図３に示すように、原稿搬送装置本体２１と、原稿搬送装置本体２１に形成された搬送路２２を開放するためのカバー体５０とを備えている。
【００７０】
カバー体５０は、原稿搬送装置本体２１に開閉可能に取り付けられている。カバー体５０には、図３に示すように、搬送路２２の一方の搬送路面をなす上側の搬送路面２２Ａが形成されると共に、送出しロール１３及び搬送ロール１４が配置されている。
【００７１】
一方、原稿搬送装置本体２１側には、搬送路２２の他方の搬送路面をなす下側の搬送路面２２Ｂが形成されると共に、分離ロール１５が配置されている。
【００７２】
カバー体５０を原稿搬送装置本体２１に対して回転させることにより、原稿搬送装置本体２１に形成された搬送路面２２Ｂと、カバー体５０に形成された搬送路面２２Ａとが離間して搬送路２２が開放されると共に、搬送ロール１４と分離ロール１５が離間する。これにより、図３に示すように、装置本体１２に形成された搬送路面２２Ａ、送出しロール１３及び搬送ロール１４が露出する。
【００７３】
図４は、送出しロール１３及び搬送ロール１４がそれぞれの回転軸に装着された状態を示す斜視図である。図５は、送出しロール１３及び搬送ロール１４がそれぞれの回転軸から取り外された状態を示す斜視図である。図６は、送出しロール１３及び搬送ロール１４が取り外した状態におけるそれぞれの回転軸の構成を示す斜視図である。図７は、送出しロール１３の回転軸２３の第１軸２３Ａと第２軸２３Ｂとの連結動作及び、搬送ロール１４の回転軸２４の第１軸２３Ａと第２軸２３Ｂとの連結動作を説明するための斜視図である。
【００７４】
原稿搬送装置２０は、図５及び図６に示すように、第１軸２３Ａと第２軸２３Ｂとを有する送出しロール１３の回転軸２３と、第１軸２４Ａと第２軸２４Ｂとを有する搬送ロール１４の回転軸２４とを備えている。
【００７５】
第２軸２３Ｂは、第１軸２３Ａに連結され軸方向へ移動して第１軸２３Ａと分離可能とされている。第２軸２４Ｂも、第２軸２３Ｂと同様に、第１軸２４Ａに連結され軸方向へ移動して第１軸２４Ａと分離可能とされている。
【００７６】
なお、図６には、第１軸２３Ａと第２軸２３Ｂとが連結されると共に第１軸２４Ａと第２軸２４Ｂとが連結された状態が示され、図５には、第１軸２３Ａと第２軸２３Ｂとが分離されると共に第１軸２４Ａと第２軸２４Ｂとが分離された状態が示されている。
【００７７】
原稿搬送装置２０は、第１軸２３Ａ及び第２軸２３Ｂを回転可能に支持すると共に、第２軸２３Ｂをその軸方向へ移動可能に支持する支持部材５２を備えている。
【００７８】
この支持部材５２には、第１軸２４Ａ及び第２軸２４Ｂも回転可能に支持されると共に、第２軸２４Ｂをその軸方向へ移動可能に支持されている。
【００７９】
支持部材５２は、送出しロール１３の回転軸２３の軸方向一端部に配置された側板５２Ａと、送出しロール１３の回転軸２３の軸方向他端部に配置された側板５２Ｂと、側板５２Ａと側板５２Ｂとの間に配置され側板５２Ａと側板５２Ｂとに連結された連結部５２Ｃと、を備えている。
【００８０】
連結部５２Ｃは、送出しロール１３及び搬送ロール１４の間に配置され、送出しロール１３及び搬送ロール１４の軸方向に沿って延び設けられている。
【００８１】
側板５２Ａには、回転軸２３の第１軸２３Ａ及び回転軸２４の第１軸２４Ａが支持されている。側板５２Ｂには、回転軸２３の第２軸２３Ｂ及び回転軸２４の第２軸２４Ｂが支持されている。
【００８２】
送出しロール１３には、回転軸２３が抜き差しされる貫通孔４３を有している。送出しロール１３は、貫通孔４３に差し込まれた回転軸２３と一体に回転してシートを搬送する構成となっている。本実施形態では、回転軸２３の第２軸２３Ｂが貫通孔４３に抜き差しされる。
【００８３】
第２軸２３Ｂは、送出しロール１３の幅以上移動可能とされており、第２軸２３Ｂが、第１軸２３Ａから離れる方向へ送出しロール１３の幅以上移動することにより、送出しロール１３の貫通孔４３から引き抜かれる。
【００８４】
搬送ロール１４も、送出しロール１３と同様に、回転軸２４が抜き差しされる貫通孔４４を有している。搬送ロール１４は、この貫通孔４４に差し込まれた回転軸２４と一体に回転してシートを搬送する構成となっている。本実施形態では、回転軸２４の第２軸２４Ｂが貫通孔４４に抜き差しされる。
【００８５】
第２軸２４Ｂは、搬送ロール１４の幅以上移動可能とされており、第２軸２４Ｂが、第１軸２４Ａから離れる方向へ搬送ロール１４の幅以上移動することにより、搬送ロール１４の貫通孔４４から引き抜かれる。
【００８６】
回転軸２３には、駆動力を回転軸２３に伝達する駆動伝達部材の一例としてのギア３３が設けられている。本実施形態では、ギア３３は、第１軸２３Ａに配置されている。
【００８７】
回転軸２４には、駆動力を回転軸２４に伝達する駆動伝達部材の一例としてのギア３４が設けられている。本実施形態では、ギア３４は、第１軸２４Ａに配置されている。
【００８８】
支持部材５２には、ギア３３及びギア３４に噛み合うギア３５が、回転可能に支持されている。
【００８９】
搬送ロール１４の回転軸２４には、駆動ギア５４が固定されている（図７参照）。駆動ギア５４は、駆動モータ等の駆動部（図示省略）のギアに噛み合っており、駆動部から駆動力を付与される。
【００９０】
これにより、搬送ロール１４は、駆動ギア５４を介して駆動力が付与されて回転する。さらに、この駆動力は、ギア３４、ギア３５、ギア３３を介して、送出しロール１３に伝達され送出しロール１３が回転する構成となっている。
【００９１】
ここで、送出しロール１３の回転軸２３の第１軸２３Ａと第２軸２３Ｂとを連結する連結構造、搬送ロール１４の回転軸２４の第１軸２４Ａと第２軸２４Ｂと連結構造について説明する。なお、搬送ロール１４の回転軸２４は、送出しロール１３の回転軸２３と同様に構成されているので、ここでは、送出しロール１３の回転軸２３の構成を例にとって説明する。
【００９２】
送出しロール１３の回転軸２３の第１軸２３Ａは、図７（Ａ）（Ｂ）に示すように、先端が先細にされた先細形状（テーパー形状）に形成されている。また、第１軸２３Ａの先端部には、第２軸２３Ｂを第１軸２３Ａに対して回転させないようにするための回転止め部材の一例としてのピン５６が設けられている。
【００９３】
ピン５６は、第１軸２３Ａに形成された貫通孔５７に挿し通され、第１軸２３Ａから第１軸２３Ａの半径方向外側に突出している。ピン５６は、第１軸２３Ａの周面の一方及びその反対方向の周面の２箇所から突出している。
【００９４】
また、原稿搬送装置２０は、第２軸２３Ｂが第１軸２３Ａから離れるように、第２軸２３Ｂをその軸方向へ付勢する付勢手段の一例としての圧縮ばね２６を備えている。なお、図６は、圧縮ばね２６を省略して図示している。
【００９５】
圧縮ばね２６は、コイル状に形成され、第１軸２３Ａに挿入されている。本実施形態では、圧縮ばね２６は、ピン５６よりも第１軸２３Ａの後端側に配置されており、ピン５６に当って圧縮ばね２６がピン５６よりも第１軸２３Ａの先端側に移動しないようになっている。
【００９６】
第２軸２３Ｂの先端部には、第１軸２３Ａの先端部が挿入可能な挿入孔５８が形成されている。さらに、第２軸２３Ｂの先端部には、ピン５６が挿入可能な溝部６０が形成されている。これにより、第１軸２３Ａの先端部を第２軸２３Ｂの挿入孔５８に挿入すると共にピン５６を溝部６０に挿入して、第１軸２３Ａと第２軸２３Ｂとが連結される。第１軸２３Ａと第２軸２３Ｂとが連結された連結状態においては、ピン５６は溝部６０の内縁に当って第１軸２３Ａに対する第２軸２３Ｂの回転が規制される。
【００９７】
ギア３３には、連結された第１軸２３Ａ及び第２軸２３Ｂが挿入可能な挿入孔６２が形成されている。連結された第１軸２３Ａ及び第２軸２３Ｂを圧縮ばね２６の不勢力に対抗して、ギア３３の挿入孔６２に挿入することにより、第２軸２３Ｂは、図７（Ｂ）に示すように、ギア３３の内部で第１軸２３Ａと連結されるようになっている。
【００９８】
また、回転軸２３の第２軸２３Ｂには、図５に示すように、第２軸２３Ｂを支持部材５２に回転可能かつ軸方向に移動不能に固定する固定部材６３が設けられている。第２軸２３Ｂの外周には、溝部７３が形成されており、溝部７３に固定部材６３が嵌合することで、固定部材６３は、第２軸２３Ｂを支持部材５２に回転可能かつ軸方向に移動不能に固定する。固定部材６３は、第２軸２３Ｂの溝部７３から着脱可能とされており、工具等がなくとも第２軸２３Ｂを固定できると共に、その固定を解除することができる。
【００９９】
固定部材６３で第２軸２３Ｂを固定することにより、第２軸２３Ｂがギア３３の内部で第１軸２３Ａと連結された状態が維持される。また、固定部材６３を外すことにより、第２軸２３Ｂが、圧縮ばね２６の不勢力により軸方向に押されて、第１軸２３Ａから引き離されると共に、支持部材５２から突出する。
【０１００】
また、回転軸２４の第２軸２４Ｂにも、第２軸２４Ｂを支持部材５２に回転可能かつ軸方向に移動不能に固定する固定部材６４が設けられている。第２軸２４Ｂの外周には、溝部７４が形成されており、溝部７４に固定部材６４が嵌合することで、固定部材６４は、第２軸２４Ｂを支持部材５２に回転可能かつ軸方向に移動不能に固定する。
【０１０１】
さらに、原稿搬送装置２０は、図４及び図５に示すように、搬送ロール１４の第２軸２４Ｂの移動量を規制して、支持部材５２からの第２軸２４Ｂの脱落を防止する規制部材４８を備えている。
【０１０２】
なお、本実施形態では、搬送ロール１４の回転軸２４の第２軸２４Ｂにのみ規制部材４８が設けられているが、送出しロール１３の回転軸２３の第２軸２３Ｂ側に規制部材を設けても良い。
【０１０３】
また、本実施形態では、ギア３３の内部で第１軸２３Ａと第２軸２３Ｂとが連結されるが、支持部材５２の内部で第１軸２３Ａと第２軸２３Ｂとを連結する構成であってもよい。また、送出しロール１３の内部で第１軸２３Ａと第２軸２３Ｂとを連結する構成であってもよい。
【０１０４】
また、本実施形態では、第２軸２３Ｂが送出しロール１３の貫通孔４３に抜き差しされる構成であったが、例えば、送出しロール１３の内部で第１軸２３Ａと第２軸２３Ｂとを連結する構成では、第１軸２３Ａ及び第２軸２３Ｂが送出しロール１３の貫通孔４３に抜き差しされる構成であってもよい。
【０１０５】
また、本実施形態では、第２軸２３Ｂが軸方向に移動する構成であったが、第２軸２３Ｂのみならず、第１軸２３Ａもその軸方向に移動する構成であってもよい。
【０１０６】
また、図８に示すように、送出しロール１３、第１軸２３Ａ及び第２軸２３Ｂを有する回転軸２３、搬送ロール１４、第１軸２４Ａ及び第２軸２４Ｂを有する回転軸２４及び支持部材５２を備えた搬送ユニット７０を、原稿搬送装置２０の原稿搬送装置本体２１に着脱可能に設けた構成としてもよい。
【０１０７】
また、固定部材６３は、原稿トレイ１１に収容された原稿Ｇの先端に当って原稿の移動を規制する原稿規制部材を兼ねる構成であってもよい。
【０１０８】
（本実施形態の作用）
次に、上記の実施形態について作用を説明する。
【０１０９】
本実施形態において、送出しロール１３及び搬送ロール１４を交換する際には、まず、図３に示すように、カバー体５０を開放する。これにより、搬送路２２が開放され、送出しロール１３及び搬送ロール１４が露出する。
【０１１０】
次に、固定部材６３を回転軸２３の第２軸２３Ｂから取り外す。これにより、圧縮ばね２６の作用により、第２軸２３Ｂが第１軸２３Ａから引き離されると共に、支持部材５２から突出する。
【０１１１】
次に、支持部材５２から突出した第２軸２３Ｂをその軸方向へ移動させ、送出しロール１３の貫通孔４３から第２軸２３Ｂを引き抜く。これにより、送出しロール１３が回転軸２３から外される。
【０１１２】
次に、新しい送出しロール１３の貫通孔４３に第２軸２３Ｂを挿入してから、固定部材６３を第２軸２３Ｂに取り付ける。
【０１１３】
これにより、回転軸２３に送出しロール１３が装着され、送出しロール１３の交換がなされる。
【０１１４】
搬送ロール１４についても同様に、固定部材６４を回転軸２４の第２軸２４Ｂから取り外す。これにより、圧縮ばね２６の作用により、第２軸２４Ｂが第１軸２４Ａから引き離されると共に、支持部材５２から突出する。
【０１１５】
次に、支持部材５２から突出した第２軸２４Ｂをその軸方向へ移動させ、搬送ロール１４の貫通孔４４から第２軸２４Ｂを引き抜く。これにより、搬送ロール１４が回転軸２４から外される。
【０１１６】
次に、新しい搬送ロール１４の貫通孔４４に第２軸２４Ｂを挿入してから、固定部材６４を第２軸２４Ｂに取り付ける。
【０１１７】
これにより、回転軸２４に搬送ロール１４が装着され、搬送ロール１４の交換がなされる。
【０１１８】
このように、本実施形態では、送出しロール１３及び搬送ロール１４のみが交換され、交換が必要な部品のみを容易に交換できる。
【０１１９】
また、本実施形態では、ギア３３の内部で第１軸２３Ａ及び第２軸２３Ｂが連結されるので、ギア３３の外部で第１軸２３Ａと第２軸２３Ｂを連結する構成に比して、第１軸２３Ａと第２軸２３Ｂとの連結部における回転軸２３の撓みを抑制できる。
【０１２０】
また、本実施形態では、圧縮ばね２６の作用により、固定部材６３を外すことで第２軸２３Ｂを第１軸２３Ａから離すことができ、第１軸２３Ａと第２軸２３Ｂの分離がしやすくなる。
【０１２１】
また、本実施形態では、圧縮ばね２６の作用により、固定部材６３を外すことで第２軸２３Ｂが支持部材５２から突出するので、第２軸２３Ｂをつかみやすく、第２軸２３Ｂの引き抜きがしやすくなる。
【０１２２】
また、本実施形態では、支持部材５２からの第２軸２４Ｂの脱落を防止できるので、第２軸２４Ｂを移動させる際の操作性が良くなる。
【０１２３】
本発明は、上記の実施形態に限るものではなく、種々の変形、変更、改良が可能である。
【図面の簡単な説明】
【０１２４】
【図１】図１は、本実施形態に係る画像形成装置の構成を示す概略図である。
【図２】図２は、原稿搬送装置の構成を示す図であって、カバー体が閉鎖された状態を示す斜視図である。
【図３】図３は、原稿搬送装置の構成を示す図であって、カバー体が開放された状態を示す斜視図である。
【図４】図４は、送出しロール及び搬送ロールがそれぞれの回転軸に装着された状態を示す斜視図である。
【図５】図５は、送出しロール及び搬送ロールがそれぞれの回転軸から取り外された状態を示す斜視図である。
【図６】図６は、送出しロール及び搬送ロールが取り外された状態におけるそれぞれの回転軸の構成を示す斜視図である。
【図７】図７は、送出しロールの回転軸の第１軸と第２軸との連結動作及び、搬送ロールの回転軸の第１軸と第２軸との連結動作を説明するための斜視図である。
【図８】図８は、送出しロール、第１軸及び第２軸を有する回転軸、搬送ロール、第１軸及び第２軸を有する回転軸及び支持部材を備えた搬送ユニットを、原稿搬送装置の原稿搬送装置本体に着脱可能に設けた構成を示す斜視図である。
【符号の説明】
【０１２５】
１０   画像読取装置
１３   送出しロール（搬送ロール）
１４   搬送ロール
２０   原稿搬送装置（シート搬送装置）
２１   原稿搬送装置本体（シート搬送装置本体）
２３   回転軸
２３Ａ 第１軸
２３Ｂ 第２軸
２４   回転軸
２４Ａ 第１軸
２４Ｂ 第２軸
２６   圧縮ばね（付勢手段）
３０   画像読取部
３３   ギア（駆動伝達部材）
３４   ギア（駆動伝達部材）
４８   規制部材
５２   支持部材
６３   固定部材
６４   固定部材
７０   搬送ユニット
１００ 画像形成装置
１１０ 画像記録装置
【図１】
0004877202.tif 000002
【図２】
0004877202.tif 000003
【図３】
0004877202.tif 000004
【図４】
0004877202.tif 000005
【図５】
0004877202.tif 000006
【図６】
0004877202.tif 000007
【図７】
0004877202.tif 000008
【図８】
0004877202.tif 000009